(57)【要約】      （修正有）【課題】本考案は、ロープを利用するトレーニング具であって、形状の多様化を実現でき、かつ、重量感を受けながら身体各部の筋力向上等を図ることができるようなロープ状トレーニング具を提供する。【解決手段】本考案のロープ状トレーニング具１は、例えば各々２本の鉛線材を内装した例えば３本の紐状体３を撚ってロープ状のロープ状トレーニング具本体２とし、各鉛線材による重量を持たせるとともに、各鉛線材の曲がり剛性を利用して直線状、円形状、楕円形状、又は多角形状を維持可能とする構成としたものである。【選択図】図１
0003203488.tif 000002
【実用新案登録請求の範囲】
【請求項１】
各々単数本又は複数本の金属線材を内装した複数本の紐状体を撚ってロープ状のトレーニング具本体とし、トレーニング具本体に前記各金属線材による重量を持たせるとともに、トレーニング具本体が前記各金属線材の曲がり剛性を利用して自在の形状を維持可能となうようにしたことを特徴とするロープ状トレーニング具。
【請求項２】
前記ロープ状トレーニング具本体は、合成樹脂材又は麻材からなる前記紐状体に直径３ｍｍの鉛線材を２本内装し、この紐状体を３本撚り合わせて、その単位重量を１Ｋｇ／ｍとし、全長１．５ｍに設定し、直線状、円形状、楕円形状又は多角形状を維持可能としたことを特徴とする請求項１記載のロープ状トレーニング具。
【請求項３】
前記ロープ状トレーニング具本体の両端部に、合成樹脂材からなる端部覆具を付加したことを特徴とする請求項１又は２記載のロープ状トレーニング具。
【請求項４】
前記ロープ状トレーニング具本体の両端部に、合成樹脂材からなる端部覆具を付加するとともに、前記ロープ状トレーニング具本体の両端部に前記各端部覆具を各々覆う状態で金属製の端部付加具を設けたことを特徴とする請求項１乃至３のいずれか１項に記載のロープ状トレーニング具。
【請求項５】
前記ロープ状トレーニング具本体の両端部に、合成樹脂材からなる端部覆具を付加するとともに、前記ロープ状トレーニング具本体の両端部に前記各端部覆具を各々覆う状態で金属製で突出端側に挿通穴部を具備する端部付加具を設け、前記挿通穴部に手持ち用保持具を取り付けたことを特徴とする請求項１乃至４のいずれか１項に記載のロープ状トレーニング具。
【考案の詳細な説明】
【技術分野】
【０００１】
本考案は、ロープ状トレーニング具に関し、詳しくは、使用者がトレーニング等の身体運動を行う際に使用することで、その身体各部の筋力向上等に寄与し得る斬新なロープ状トレーニング具に関するものである。
【背景技術】
【０００２】
従来から身体各部の筋肉の筋力低下を抑え自立した日常生活を送るためには、何らかの筋肉トレーニングが必要であることが知られている。
【０００３】
図８は、従来のロープ状に形成したトレーニング具の一例を示すものであり、同図に示すトレーニング具２１は、３本の麻材等からなる紐状体２２を撚って所定長さのロープ状としたトレーニング具本体２１ａと、このトレーニング具本体２１ａの両端部の外周に各端部のほつれを防止するために付加した例えば塩化ビニールテープからなる端部覆具２３と、を具備している。
【０００４】
また、トレーニング具本体２１ａの長さ方向中央部に、目印となる例えば塩化ビニールテープからなる中央覆具２４を付加している。
【０００５】
なお、図８においては、トレーニング具本体２１ａを全体として円形状を呈するように丸めた状態で示しているが、直線状に伸ばした場合全長が３ｍ程度の長さとなるようにしたものである。
【０００６】
このようなロープ状トレーニング具２１は、例えば、直線状に伸ばしてその両端を二人の使用者が手で握り、綱引きを行うような態様で筋肉トレーニングを行ったり、縄跳びを行ったりというような用途に使用される。
【０００７】
しかしながら、従来のトレーニング具２１の場合、単に３本の紐状体２２を撚ってロープ状に形成したものであることから、単に直線状に伸ばしたり円形状を呈するように丸めること以外に、その形状を所望の形状に変更してその形態を維持することはできず、また、重量感にも乏しく、使用者が身体各部の筋力トレーニングを行う用途には不向きである。
【０００８】
特許文献１には、ロープを利用するトレーニング具の一例として、弾性を有する中空ロープと、該中空ロープの両側内部にそれぞれ挿脱可能に嵌着された棒状詰芯と、前記中空ロープの棒状詰芯嵌着部の外周に各々密着状且つ着脱自在に外嵌装された有底筒状把手部とから構成され、前記中空ロープ内に充填材を任意に注入し得るよう構成した重量可変縄跳び具が開示されている。
【０００９】
この特許文献１の重量可変縄跳び具の場合も、用途が縄跳びに関するものであり、形状の多様化を図れず重量感にも乏しく、使用者が身体各部の筋力トレーニングを行う用途には不向きである。
【先行技術文献】
【特許文献】
【００１０】
【特許文献１】実開昭６３−３２５６０号公報
【考案の概要】
【考案が解決しようとする課題】
【００１１】
本考案が解決しようとする問題点は、ロープ状或いはロープ形態のトレーニング具であって、形状の多様化を実現でき、かつ、重量感を受けながら身体各部の筋力向上等を図ることができるようなロープ状トレーニング具が従来存在しない点である。
【課題を解決するための手段】
【００１２】
本考案に係るロープ状トレーニング具は、各々単数本又は複数本の金属線材を内装した複数本の紐状体を撚ってロープ状トレーニング具本体とし、前記各金属線材による重量を持たせるとともに、前記各金属線材の曲がり剛性を利用して自在の形状を維持可能としたことを最も主要な特徴とする。
【考案の効果】
【００１３】
請求項１記載の考案によれば、使用者が身体運動をする際に使用することにより、トレーニング本体による重量負荷が身体に加わり、使用者の身体各部の筋力、体幹、インナーマッスル、握力等の種々の身体能力を向上、更には、引く力の向上を図ることができるロープ状トレーニング具を実現し提供することができる。
【００１４】
請求項２記載の考案によれば、ロープ状トレーニング具本体を、合成樹脂材又は麻材からなる前記紐状体内に直径３ｍｍの鉛線材を２本内装し、この紐状体を３本撚り合わせて、その単位重量を１Ｋｇ／ｍとし、全長１．５ｍに設定し、直線状、円形状、楕円形状、又は多角形状を維持可能とした構成により、使用者が身体運動をする際にトレーニング本体を各種形状から選定した所望の形状として、手に持ったり、首や肩に掛けたり、腰に巻いたり等して各種の身体運動をすることにより、その重量負荷が身体に加わり、使用者の身体各部の筋力、体幹、インナーマッスル、握力等の種々の身体能力を向上、更には、引く力の向上を図ることができるロープ状トレーニング具を実現し提供することができる。
【００１５】
請求項３記載の考案によれば、ロープ状トレーニング具本体の両端部に合成樹脂材からなる端部覆具を付加しているので、請求項１又は２記載の考案の効果に加えて、使用の際にトレーニング具本体の両端部を把持し易くなり、しかも、ロープ状トレーニング具本体の両端部のほつれを防止することもできるロープ状トレーニング具を実現し提供することができる。
【００１６】
請求項４記載の考案によれば、請求項１乃至３記載の考案に係るロープ状トレーニング具よりも重量増加を行っているので、上述したような使用者の身体各部の筋力、体幹、インナーマッスル、握力等の種々の身体能力向上、更には、引く力の向上をより効果的に実行することができるロープ状トレーニング具を実現し提供することができる。
【００１７】
請求項５記載の考案によれば、請求項１乃至４記載の考案と同様な効果を奏しつつ、持ち運びの便宜、取り扱いの便宜を図ることもできるロープ状トレーニング具を実現し提供することができる。
【図面の簡単な説明】
【００１８】
【図１】図１は本考案の実施例に係るロープ状トレーニング具を構成する直線状のロープ状トレーニング具本体の両端部に端部覆具を付加した形態を示す一部省略概略正面図である。
【図２】図２は図１のＡ−Ａ線断面図である。
【図３】図３は本実施例に係るロープ状トレーニング具のトレーニング具本体の両端部に端部覆具を付加した形態においてロープ状トレーニング具本体を円形状とした態様を示す概略正面図である。
【図４】図４は本実施例に係るロープ状トレーニング具のトレーニング具本体の両端部に端部覆具を付加した形態においてロープ状トレーニング具本体を楕円形状とした態様を示す概略正面図である。
【図５】図５は本実施例に係るロープ状トレーニング具のトレーニング具本体の両端部に端部覆具を付加した形態においてロープ状トレーニング具本体を略四角形状とした態様を示す概略正面図である。
【図６】図６は本実施例に係るロープ状トレーニング具の直線状としたトレーニング具本体の両端部に端部覆具を付加し、更に端部覆具の外周に金属製の端部付加具を設けた変形例のロープ状トレーニング具を示す一部省略概略正面図である。
【図７】図７は本実施例に係るロープ状トレーニング具の直線状としたトレーニング具本体の両端部に端部覆具を付加し、更に端部覆具の外周に金属製で突出端側に抜き穴部を具備する端部付加具を設け、抜き穴部に手持ち用保持具を取り付けた別の変形例のロープ状トレーニング具を示す一部省略概略正面図である。
【図８】図８は従来のトレーニング具の一例を示す概略正面図である。
【考案を実施するための形態】
【００１９】
本考案は、ロープ状或いはロープ形態の用具を利用し、形状の多様化を実現でき、かつ、重量感を受けながら身体各部の筋力向上等を図ることができる斬新なトレーニング具であるロープ状トレーニング具を提供するという目的を、各々単数本又は複数本の金属線材を内装した複数本の紐状体を撚ってロープ状トレーニング具本体とし、前記各金属線材による重量を持たせるとともに、各金属線材の曲がり剛性を利用して直線状、円形状、楕円形状、又は多角形状を維持可能とした構成により実現した。
【実施例】
【００２０】
以下、本考案の実施例に係るロープ状トレーニング具について図面を参照して詳細に説明する。
【００２１】
本実施例に係るロープ状トレーニング具１は、図１及び図２に示すように、各々複数本、例えば２本の鉛線材４を全長にわたって内装した合成樹脂材又は麻材からなる複数本、例えば３本の紐状体３を撚って直線状を呈するロープ状としたトレーニング具本体２と、このロープ状トレーニング具本体２の両端部の外周に各端部のほつれを防止するために付加した（巻き付けた）例えば透明の塩化ビニールテープからなる端部覆具５と、を有している。
なお、トレーニング具本体２の両端部に装着した前記端部覆具５は、このトレーニング具本体２の使用の際にトレーニング具本体の両端部を把持し易くなるという作用も発揮する。
【００２２】
前記ロープ状トレーニング具本体２は、その単位重量を前記鉛線材４により例えば１Ｋｇ／ｍとする重量を持たせるとともに、例えば全長１．５ｍに設定し、前記鉛線材４の曲げ剛性を利用して直線状の他に曲げ操作により円形状、楕円形状、更には四角形状、三角形状のような多角形状等、自在の形状を維持可能に構成している。
【００２３】
前記紐状体３や鉛線材４の本数は、上述した本数に限定するものではない。
【００２４】
次に、図３乃至図５を参照して前記ロープ状トレーニング具本体２の各種形状変更例について説明する。
【００２５】
図３は、前記ロープ状トレーニング具本体２を曲げ操作により円形状とし、この円形状を維持可能な形態とした例を示すものである。
【００２６】
図４は、前記ロープ状トレーニング具本体２を曲げ操作により略楕円形状とし、この略楕円形状を維持可能な形態とした例を示すものである。
【００２７】
図５は、前記ロープ状トレーニング具本体２を曲げ操作により多角形状、例えば略四角形状とし、この略四角形状を維持可能な形態とした例を示すものである。
【００２８】
本実施例に係るロープ状トレーニング具１によれば、使用者がこのロープ状トレーニング具１を上述したような各種形状から選定した所望の形状として、手に持ったり、首や肩に掛けたり、腰に巻いたりして各種の身体運動をすることにより、ロープ状トレーニング具１の重量負荷が身体に加わり、使用者の身体各部の筋力、体幹、インナーマッスル、握力等の種々の身体能力を向上させることができる。
【００２９】
また、二人でロープ状トレーニング具１の両端部を各々手に持って引き合うことによる引く力の向上を図ることも可能である。
【００３０】
図６は、本実施例に係るロープ状トレーニング具１の変形例であるトレーニング具１Ａを示すものであり、この変形例のロープ状トレーニング具１Ａは、既述した実施例に係るロープ状トレーニング具１の構成に加えて、前記トレーニング具本体２の両端部に前記各端部覆具５を各々覆う状態で金属製、例えば鉛製で円環状の端部付加具６を配設し、前記ロープ状トレーニング具１よりも重量増加を図ったものである。
【００３１】
変形例のロープ状トレーニング具１Ａにおいても、既述した図３乃至図５に示すような各種形状変更が可能であることは言うまでもない。
【００３２】
変形例のロープ状トレーニング具１Ａによれば、前記ロープ状トレーニング具１よりも重量増加を行っているので、上述したような使用者の身体各部の筋力、体幹、インナーマッスル、握力等の種々の身体能力向上、更には、引く力の向上をより効果的に実行することができる。
【００３３】
図７は、本実施例に係るロープ状トレーニング具１の更に別の変形例であるトレーニング具１Ｂを示すものであり、この変形例のロープ状トレーニング具１Ｂは、既述した実施例に係るロープ状トレーニング具１の構成に加えて、前記トレーニング具本体２の両端部に前記各端部覆具５を各々覆う状態で金属製、例えば鉛製で円環状に形成され、かつ、突出端側に挿通穴部８を具備する突片７を設けた端部付加具６Ａを配設し、前記挿通穴部８に手持ち用保持具９を取り付けたものである。
【００３４】
この変形例のロープ状トレーニング具１Ｂにおいても、既述した図３乃至図５に示すような各種形状変更が可能であることは言うまでもない。
【００３５】
この変形例であるロープ状トレーニング具１Ｂによれば、変形例のロープ状トレーニング具１Ａの場合と同様な効果を奏することに加え、前記手持ち用保持具９を取り付けたことにより、ロープ状トレーニング具１Ｂの持ち運びの便宜、取り扱いの便宜を図ることもできる。
【産業上の利用可能性】
【００３６】
本考案のロープ状トレーニング具は、各種の運動選手や健常者の筋力向上等々に適用できることは勿論、更には、リハビリテーションを行っている人の身体の筋力増強等々の用途に広範に適用可能である。
【符号の説明】
【００３７】
１    ロープ状トレーニング具
１Ａ  ロープ状トレーニング具
１Ｂ  ロープ状トレーニング具
２    ロープ状トレーニング具本体
３    紐状体
４    鉛線材
５    端部覆具
６    端部付加具
６Ａ  端部付加具
７    突片
８    挿通穴部
９    手持ち用保持具
【図１】
0003203488.tif 000003
【図２】
0003203488.tif 000004
【図３】
0003203488.tif 000005
【図４】
0003203488.tif 000006
【図５】
0003203488.tif 000007
【図６】
0003203488.tif 000008
【図７】
0003203488.tif 000009
【図８】
0003203488.tif 000010